(57)【要約】【課題】  音声を発声することによりセックスする際の喜びを向上する振動検出による発声できるリングを提供する。【解決手段】  シリコンからなる弾性リングを有し、該弾性リングに振動発声部が設けられる振動検出による発声できるリングであって、前記振動発声部の内部にバッテリー、マイクロプロセッサー、振動検出センサー及びスピーカーを有し、該マイクロプロセッサーは、各種の音声データを記憶するメモリ部と、振動検出センサーの輸出信号によってメモリ部から音声信号を選択すると共に、輸出するCPUと、該CPUから輸出する音声信号を拡大すると共に、スピーカーへ輸出する音声拡大部と、を含むことを特徴とする。【選択図】  図１
0003119684.tif 000002
【実用新案登録請求の範囲】
【請求項１】
シリコンからなる弾性リングを有し、該弾性リングに振動発声部が設けられる振動検出による発声できるリングであって、
前記振動発声部の内部にバッテリー、マイクロプロセッサー、振動検出センサー及びスピーカーを有し、
該マイクロプロセッサーは、各種の音声データを記憶するメモリ部と、振動検出センサーの輸出信号によってメモリ部から音声信号を選択すると共に、輸出するCPUと、該CPUから輸出する音声信号を拡大すると共に、スピーカーへ輸出する音声拡大部と、を含む
ことを特徴とする振動検出による発声できるリング。
【請求項２】
前記振動発声部の外側に音声を放出するために複数の声だし孔が形成されることを特徴とする請求項１に記載の振動検出による発声できるリング。
【請求項３】
前記弾性リングは、コンドームの開口縁と一体形成とすることを特徴とする請求項１又は２に記載の振動検出による発声できるリング。
【考案の詳細な説明】
【技術分野】
【０００１】本考案は、特に音声を発声することにより（公序良俗違反につき、不掲載）振動検出による発声できるリングに関するものである。
【背景技術】
【０００２】
エイズが特効薬により治療できない絶症の一つであるが、開放へ進んでいる現在の社会において徐々に成長してしまう現象が現れる原因は、男女がセックスする際、何らの守りをしないので、体液の接触によって感染されてしまい、又は複数のセックスパートナーが相互に感染されてしまう。エイズの蔓延を防止するために、一番有効な方法はコンドームを使用することである。
【０００３】しかし、一般のコンドームはシリコンからなり、男性の生殖器官に掛けると、生殖器官の亀頭に接触の刺激があまり受けられないので、（公序良俗違反につき、不掲載）を有し、これは大部分の人がコンドームをあまり使用しない原因である。
【考案の開示】
【考案が解決しようとする課題】
【０００４】（公序良俗違反につき、不掲載）を解決するために、外側に顆粒が設けられるコンドーム、又はコンドームの開口に女性の生殖器官のクリトリスに対する振動部材が設けられるコンドームが開発されるが、男性の硬度不足という問題を解決できない。【０００５】
男性の性欲は、視覚、聴覚及び触感に影響を与え、セックスする場合、前記視覚、聴覚及び触感を満足できれば、コンドームを掛けると、男性の生殖器官の硬度不足という問題を解決できる考えがある。
【０００６】そこで、案出されたのが本考案であって、音声を発声することにより（公序良俗違反につき、不掲載）振動検出による発声できるリングを提供することを目的としている。
【課題を解決するための手段】
【０００７】
本願の請求項１の考案は、シリコンからなる弾性リングを有し、該弾性リングに振動発声部が設けられる振動検出による発声できるリングであって、
前記振動発声部の内部にバッテリー、マイクロプロセッサー、振動検出センサー及びスピーカーを有し、該マイクロプロセッサーは、各種の音声データを記憶するメモリ部と、振動検出センサーの輸出信号によってメモリ部から音声信号を選択すると共に、輸出するCPUと、該CPUから輸出する音声信号を拡大すると共に、スピーカーへ輸出する音声拡大部と、を含むことを特徴とする振動検出による発声できるリング、を提供する。
【０００８】
本願の請求項２の考案は、前記振動発声部の外側に音声を放出するために複数の声だし孔が形成されることを特徴とする請求項１に記載の振動検出による発声できるリング、を提供する。
【０００９】
本願の請求項３の考案は、前記弾性リングは、コンドームの開口縁と一体形成とすることを特徴とする請求項１又は２に記載の振動検出による発声できるリング、を提供する。
【考案の効果】
【００１０】
本考案は上記の課題を解決するものであり、シリコンからなる弾性リングを有し、該弾性リングに外側に音声を放出するために複数の声だし孔を有する振動発声部が設けられ、該振動発声部の内部にバッテリー、マイクロプロセッサー、振動検出センサー及びスピーカーを有し、該マイクロプロセッサーは、各種の音声データを記憶するメモリ部と、振動検出センサーの輸出信号によってメモリ部から音声信号を選択すると共に、輸出するCPUと、該CPUから輸出する音声信号を拡大すると共に、スピーカーへ輸出する音声拡大部と、を含むことにより、男性と女性の聴覚刺激を向上させ、又、男性はこの聴覚刺激を向上することにより、生殖器官を充血すると共に、硬くなることができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る振動検出による発声できるリングの実施例を示す斜視図であり、図２は本考案に係る振動検出による発声できるリングの回路を示すブロック図であり、図３は本考案に係る振動検出による発声できるリングの他の実施例を示す斜視図である。
【００１３】
図１に示すように、振動検出による発声できるリングは、シリコンからなる弾性リング（１０）を有し、該弾性リング（１０）に外側に音声を放出するために複数の声だし孔（１３）を有する振動発声部（１１）が設けられる。
【００１４】
図１及び図２に示すように、前記振動発声部（１１）の内部にバッテリー（１２）、マイクロプロセッサー（２０）、振動検出センサー（１４）及びスピーカー（１５）を有し、該マイクロプロセッサー（２０）は、各種の音声データを記憶するメモリ部（２１）と、振動検出センサー（１４）の輸出信号によってメモリ部（２１）から音声信号を選択すると共に、輸出するCPU（２２）と、該CPU（２２）から輸出する音声信号を拡大すると共に、スピーカー（１５）へ輸出する音声拡大部（２３）と、を含む。
【００１５】
前記メモリ部（２１）に予め男女がセックスする際の各種の声を録音し、マイクロプロセッサー（２０）のCPU（２２）によって該録音した声を選択すると共に、音声拡大部（２３）に通じて拡大した後、スピーカー（１５）と声だし孔（１３）から声を放出させる。
【００１６】（公序良俗違反につき、不掲載）【００１７】又、図３に示すように、本考案に係る振動検出による発声できるリングの弾性リング（１０）は、従来のコンドーム（３０）の開口縁と一体形成としてもよく、これにより、男女がセックスする際、エイズなどの性病に感染される問題を防止すると共に、（公序良俗違反につき、不掲載）【００１８】
又、前記マイクロプロセッサー（２０）のメモリ部（２１）に記憶した音声をCPU（２２）によってランダムに放出することができ、又、該記憶した音声は使用者の必要に応じて変更することができる。
【産業上の利用可能性】
【００１９】
本考案は上記の構成を有するので、シリコンからなる弾性リングを有し、該弾性リングに外側に音声を放出するために複数の声だし孔を有する振動発声部が設けられ、該振動発声部の内部にバッテリー、マイクロプロセッサー、振動検出センサー及びスピーカーを有し、該マイクロプロセッサーは、各種の音声データを記憶するメモリ部と、振動検出センサーの輸出信号によってメモリ部から音声信号を選択すると共に、輸出するCPUと、該CPUから輸出する音声信号を拡大すると共に、スピーカーへ輸出する音声拡大部と、を含むことにより、男性と女性の聴覚刺激を向上させ、又、男性はこの聴覚刺激を向上することにより、生殖器官を充血すると共に、硬くなることができる。
【図面の簡単な説明】
【００２０】
【図１】本考案に係る振動検出による発声できるリングの実施例を示す斜視図である。
【図２】本考案に係る振動検出による発声できるリングの回路を示すブロック図である。
【図３】本考案に係る振動検出による発声できるリングの他の実施例を示す斜視図である。
【符号の説明】
【００２１】
１０        弾性リング
１１        振動発声部
１２        バッテリー
１３        声だし孔
１４        振動検出センサー
１５        スピーカー
２０        マイクロプロセッサー回路
２１        メモリ部
２２        CPU
２３        音声拡大部
３０        コンドーム
【図１】
0003119684.tif 000003
【図２】
0003119684.tif 000004
【図３】
0003119684.tif 000005
【手続補正書】
【提出日】平成17年12月16日(2005.12.16)
【手続補正１】
【補正対象書類名】明細書
【補正対象項目名】０００１
【補正方法】変更
【補正の内容】
【０００１】
本考案は、特に振動検出により音声を発声できるリングに関するものである。
【手続補正２】
【補正対象書類名】明細書
【補正対象項目名】０００３
【補正方法】変更
【補正の内容】
【０００３】
しかし、一般のコンドームはシリコンからなり、男性の生殖器官に掛けると、生殖器官の亀頭に接触の刺激があまり受けられないので、男性の生殖器官の硬度不足が発生し、これは大部分の人がコンドームをあまり使用しない原因である。
【手続補正３】
【補正対象書類名】明細書
【補正対象項目名】０００４
【補正方法】変更
【補正の内容】
【０００４】
上述した問題を解決するために、外側に顆粒が設けられるコンドーム、又はコンドームの開口に女性の生殖器官に対する振動部材が設けられるコンドームが開発されるが、男性の硬度不足という問題を解決できない。
【手続補正４】
【補正対象書類名】明細書
【補正対象項目名】０００６
【補正方法】変更
【補正の内容】
【０００６】
そこで、案出されたのが本考案であって、振動検出により音声を発声できるリングを提供することを目的としている。
【手続補正５】
【補正対象書類名】明細書
【補正対象項目名】００１６
【補正方法】変更
【補正の内容】
【００１６】
本考案に係る振動検出による発声できるリングを使用する場合、男性の生殖器官の根に直接に掛けるだけてよい。性交の動作が激しくない場合は、該振動検出センサー（１４）がこの激しくない振動を検出し、CPU（２２）によってメモリ部（２１）から予め録音した前戯の声を選択しながら放出させ、一方、性交の動作が激しい際、該振動検出センサー（１４）が該激しい振動を検出し、CPU（２２）によってメモリ部（２１）から予め録音した激情の声を選択しながら放出させ、性交の際の動作に応じて異なる声を放出することにより、男性と女性の聴覚刺激を向上させ、又、男性はこの聴覚刺激を向上することにより、生殖器官を充血すると共に、硬くなることができる。
【手続補正６】
【補正対象書類名】明細書
【補正対象項目名】００１７
【補正方法】変更
【補正の内容】
【００１７】
又、図３に示すように、本考案に係る振動検出による発声できるリングの弾性リング（１０）は、従来のコンドーム（３０）の開口縁と一体形成としてもよく、これにより、エイズなどの性病に感染される問題を防止することが出来る。